(57)【要約】  装着者の呼吸運動等に伴う乳房の動きに乳房カップ部を追従させるブラジャー等の乳房カップ部を有する衣類を提供する。  乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成されることを特徴とする。  前記乳房カップ部と前記前面土台部との間に乳房支持具を備えること、さらに肩紐を備えること、前記乳房カップ部と前記前面土台部とが連結され、前記前面土台部と前記後面土台部とが連結されているものであるか、前記後面土台部が前記乳房カップ外側部の一部ないし前記乳房支持具外側部の一部と直結させるものであること、前記肩紐の伸縮機能が前記後面土台部の伸縮機能を下回るもので構成されること、が、各々好ましい。【特許請求の範囲】
【請求項１】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成されることを特徴とするブラジャー等の乳房カップ部を有する衣類。
【請求項２】
前記乳房カップ部と前記前面土台部との間に乳房支持具を備えたものである請求項１に記載のブラジャー等の乳房カップ部を有する衣類。
【請求項３】
さらに肩紐を備えたものである請求項１に記載のブラジャー等の乳房カップ部を有する衣類。
【請求項４】
前記肩紐の、その伸縮機能が前記後面土台部の伸縮機能を下回るもので構成される請求項３に記載のブラジャー等の乳房カップ部を有する衣類。
【請求項５】
前記乳房カップ部と前記前面土台部とが連結され、前記前面土台部と前記後面土台部とが連結されている請求項１に記載のブラジャー等の乳房カップ部を有する衣類。
【請求項６】
前記後面土台部が前記乳房カップ外側部の一部ないし前記乳房支持具外側部の一部と直結させるものである請求項１に記載のブラジャー等の乳房カップ部を有する衣類。
【請求項７】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成され、前記乳房カップ部と前記前面土台部との間に乳房支持具を備えたものであり、さらに肩紐を備えたものであることを特徴とするブラジャー等の乳房カップ部を有する衣類。
【請求項８】
前記肩紐の、その伸縮機能が前記後面土台部の伸縮機能を下回るもので構成される請求項７に記載のブラジャー等の乳房カップ部を有する衣類。
【請求項９】
前記乳房カップ部と前記前面土台部とが連結され、前記前面土台部と前記後面土台部とが連結されている請求項７に記載のブラジャー等の乳房カップ部を有する衣類。
【請求項１０】
前記後面土台部が前記乳房カップ外側部の一部ないし前記乳房支持具外側部の一部と直結させるものである、請求項７に記載のブラジャー等の乳房カップ部を有する衣類。
【請求項１１】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成され、さらに肩紐を備えたものであり、前記乳房カップ部と前記前面土台部とが連結され、前記前面土台部と前記後面土台部とが連結されていることを特徴とするブラジャー等の乳房カップ部を有する衣類。
【請求項１２】
前記肩紐の、その伸縮機能が前記後面土台部の伸縮機能を下回るもので構成される請求項１１に記載のブラジャー等の乳房カップ部を有する衣類。
【請求項１３】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成され、さらに肩紐を備えたものであり、前記後面土台部が前記乳房カップ外側部の一部ないし前記乳房支持具外側部の一部と直結させるものであることを特徴とするブラジャー等の乳房カップ部を有する衣類。
【請求項１４】
前記肩紐の伸縮機能が前記後面土台部の伸縮機能を下回るもので構成される請求項１３に記載のブラジャー等の乳房カップ部を有する衣類。
【請求項１５】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成され、前記乳房カップ部と前記前面土台部との間に乳房支持具を備えたものであり、前記前面土台部と前記後面土台部とが連結されているであることを特徴とするブラジャー等の乳房カップ部を有する衣類。
【請求項１６】
乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成され、前記乳房カップ部と前記前面土台部との間に乳房支持具を備えたものであり、前記後面土台部が前記乳房カップ外側部の一部ないし前記乳房支持具外側部の一部と直結させるものであることを特徴とするブラジャー等の乳房カップ部を有する衣類。
【発明の詳細な説明】
【技術分野】
【０００１】
本発明は、ブラジャー等の乳房カップ部を有する衣類に関するもので、特に、呼吸運動に伴う胸囲の変化や上肢の日常動作および重力等に伴う乳房の動きに乳房カップ部を追従させる機能を有する衣類に関するものである。
【背景技術】
【０００２】
人体は、頭部、上肢、下肢および体幹に分類される。さらに体幹前面は、胸部と腹部に分類される。胸部は胸郭（胸骨、肋骨および胸椎により籠状になった骨格）や大胸筋等の骨格筋群及び乳房等で構成される。胸郭は呼吸運動に伴い、また大胸筋等の胸部骨格筋は上肢の日常動作等に伴い、主に垂直方向に移動する。乳房は自ら動く機能を有しないが胸部の上層に位置するため、胸郭や胸部骨格筋の垂直方向の動きおよび重力等の影響を受け移動する。すなわち、体幹において、呼吸運動や上肢の日常動作および重力等の影響を受け、最も移動するのが乳房である。さらに、呼吸運動等に伴う胸囲の変化は、胸郭を構成する骨である、胸骨、肋骨および胸椎の動きに由来する。特に、胸骨および胸椎の動きはその構造により胸骨の垂直方向の動きが胸椎の垂直方向の動きより大きくなる。つまり、呼吸運動等に伴う胸囲の変化は、胸郭の後面ではなく胸郭の前面で主に生じる。言い換えれば、呼吸運動等に伴う胸囲の変化は胸郭全体に均一に生じるものではなく、乳房が存在するブラジャー等の乳房カップ部を有する衣類の前面土台部を覆う前胸部が最大となる。【０００３】
しかし、従来のブラジャー等の乳房カップ部を有する衣類では、前胸部の前面土台部が非伸縮素材（伸縮機能が少ないかほとんどない素材）で構成され、背部の後面土台部が伸縮素材（伸縮機能が大きい素材）で構成される構造であった。このことは、従来のブラジャー等の乳房カップ部を有する衣類の前面及び後面土台部の非伸縮および伸縮機能が、呼吸運動等に伴う胸囲の生理的変化や上肢の日常動作等に伴う胸部骨格筋の動き、および重力等の影響を受けて移動する乳房の動きに乳房カップ部を追従させるには不適合であったことを意味する。このため、従来のブラジャー等の乳房カップ部を有する衣類では、呼吸運動や上肢の日常動作および重力等に伴う乳房の動きに、乳房カップ部を追従させられないという問題があった。
【発明の開示】
【発明が解決しようとする課題】
【０００４】
本発明は、呼吸運動に伴う胸囲の変化や上肢の日常動作における大胸筋等の胸部骨格筋の動き、および重力等の影響に伴う乳房の動きに乳房カップ部を追従させるブラジャー等の乳房カップ部を有する衣類を提供することを課題とする。
【課題を解決するための手段】
【０００５】
本発明のブラジャー等の乳房カップ部を有する衣類は、乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成されることを特徴とする。
前記乳房カップ部と前記前面土台部との間に乳房支持具を備えたものであること、さらに肩紐を備えたものであること、前記乳房カップ部と前記前面土台部とが連結され、前記前面土台部と前記後面土台部とが連結されているものであるか、前記後面土台部が前記乳房カップ外側部の一部ないし前記乳房支持具外側部の一部と直結させるものであること、前記肩紐の伸縮機能が前記後面土台部の伸縮機能を下回るもので構成されること、が、各々好ましい。
【発明の効果】
【０００６】
本発明のブラジャー等の乳房カップ部を有する衣類によれば、呼吸運動に伴う胸囲の変化や上肢の日常動作における大胸筋等の胸部骨格筋の動きおよび重力等の影響に伴う乳房の動きに乳房カップ部を追従させることで、従来のブラジャー等の乳房カップ部を有する衣類の乳房の動きに乳房カップ部を追従させる機能不足により生じた呼吸運動や上肢の日常動作を衣類が阻害することが少なく、装着時の呼吸機能や運動機能の負荷を軽減し、かつ、自然な乳房の動きを表現する効果が得られる。
【発明を実施するための最良の形態】
【０００７】
本発明は、ブラジャー等の乳房カップ部を有する衣類を構成する前面土台部の伸縮機能が後面土台部の伸縮機能を上回るもので構成されることを基本とする。
以下、図面を用い本考案の実施例を説明するが、本考案はこれに限定されるものではない。
図１は、本発明の一実施の形態を示すブラジャーの正面説明図である。
図２は、本発明の他の実施の形態を示すブラジャーの正面説明図である。
図３は、本発明の第３の実施の形態を示すブラジャーの正面説明図である。
図４は、本発明の第４の実施の形態を示すブラジャーの正面説明図である。
図５は、本発明の第５の実施の形態を示すブラジャーの正面説明図である。【０００８】
図１において、１は前面土台部、２は後面土台部、３は乳房カップ部である。  乳房は自ら動く機能を有しないが、体幹上部に位置するため、呼吸運動に伴う胸囲の変化や上肢の日常動作および重力等の影響を受けて、体幹上部で最も移動し、またその形状や組織の特性により外圧等で容易に変形する器官である。ゆえに、ブラジャーの機能の一つとして求められる、乳房の動きを表現する役割において、乳房の動きに対する乳房カップ部３を追従させる機能は重要となる。前述のように、従来のブラジャーでは、前胸部の前面土台部が非伸縮素材で構成され、背部の後面土台部が伸縮素材で構成される構造であったのに対して、本発明では、乳房カップ部３の下部に配置される前面土台部１に伸縮機能を有する伸縮素材を用い、後面土台部２に水平方向への伸縮機能が前面土台部１の伸縮機能を下回る伸縮素材を用いた。なお、４は後面土台部２の後端部の設けた留め具である。【０００９】
前記の伸縮素材としては、織りによって伸縮機能を発揮するものや、ゴム紐等を織り込んだもの、等、適宜のものが用いられ得る。
図２に示される本発明の他の実施の形態では、乳房カップ部３と前面土台部１との間に乳房支持具６を備える。乳房支持具としては、従来公知のものが用いられ、形状も適宜とすることができる。
図１および図２では、乳房カップ部３は前面土台部１に取り付けられているが、図３に示すとおり、前面土台部１と後面土台部２との両者に掛けて取り付けられても良い。図３では、乳房支持具が用いられる例を示したが、乳房支持具を用いないものでも差し支えない。【００１０】
図４および図５に示すものは、肩紐５を備えた本発明の実施の形態の例である。本発明のブラジャー等の乳房カップ部を有する衣類は、前面土台部に伸縮機能の大きい伸縮素材を用いているので、乳房の動きに乳房カップ部３を追従させるために必ずしも肩紐５を必要とはしないが、肩紐５を備えることで垂直方向の乳房の動きに乳房カップ部３を追従させる機能をより向上させることができる。
図４には、乳房支持具を用いないブラジャーで、乳房カップ部３の外側部上端から、後面土台部２の上縁へ掛けて肩紐５を連結した例を示す。また、図５には、乳房支持具を備えたブラジャーで、この乳房支持具６の外側部上端と乳房カップ部３の外側部上端との交差部から、後面土台部２の上縁へ掛けて肩紐５を連結した例を示す。【００１１】
また、図４および図５には、乳房カップ部３が前面土台部１と連結されているものを示しているが、これに限られるものではなく、乳房カップ部が前面土台部と後面土台部との両方に掛けて連結するものであっても良い。つまり、肩紐を備えるものにあっては、乳房支持具の有無、乳房カップ部と前面土台部ないし後面土台部との連結態様、を格別問わない。
非装着（無負荷）時の前面土台部１と後面土台部２の長さの和が、装着時形状の水平断面において、装着者の呼気時最小胸囲値を得られる位置に留め具４を設ける。
また、前面土台部１の水平方向への伸縮機能を、装着者が吸気時最大胸囲値において、過負荷と感じない伸縮力とすることが望ましい。【００１２】
装着者がアンダーバスト位置に乳房支持具６を装着し、後面土台部２の装着位置を引き上げず、前面土台部１の垂直方向への伸縮性に影響を与えない最短距離を肩紐５の全長とすると良い。さらに、前面土台部１の垂直方向への伸縮機能を、装着者の上肢挙上動作等の肩位置上昇に追従し、過負荷と感じない伸縮力とすることがより好ましい。このようにすることにより、胸郭の呼吸運動等によって生じる胸囲増減の水平方向の動きは、前面土台部１の水平方向の伸縮機能で対応し、上肢の日常動作や重力等に伴う垂直方向の動きには、前面土台部１の垂直方向の伸縮機能で対応することができ、呼吸運動に伴う胸囲の変化や上肢の日常動作および重力等に伴う乳房の動きに、乳房カップ部３を追従させる機能がより十全に得られ易い。
【産業上の利用可能性】
【００１３】
乳房の動きに乳房カップ部を追従させることで、呼吸運動や上肢の日常動作を衣類が阻害することが少なく、装着時の呼吸機能や運動機能の負荷を軽減できる。すなわち、乳房カップ部のずれ防止や装着時不快感の軽減および自然な乳房の動きを表現するブラジャー等の乳房カップ部を備えた衣類を供給することができ、婦人衣料業界に貢献する処大である。
【図面の簡単な説明】
【００１４】
【図１】本発明の一実施の形態を示すブラジャーの正面説明図である。
【図２】本発明の他の実施の形態を示すブラジャーの正面説明図である。
【図３】本発明の第３の実施の形態を示すブラジャーの正面説明図である。
【図４】本発明の第４の実施の形態を示すブラジャーの正面説明図である。
【図５】本発明の第５の実施の形態を示すブラジャーの正面説明図である。
【符号の説明】
【００１５】
１：前面土台部
２：後面土台部
３：乳房カップ部
４：留め具
５：肩紐
６：乳房支持具
【図１】
2006106820.tif 000002
【図２】
2006106820.tif 000003
【図３】
2006106820.tif 000004
【図４】
2006106820.tif 000005
【図５】
2006106820.tif 000006
【手続補正書】
【提出日】平成18年6月16日(2006.6.16)
【手続補正１】
【補正対象書類名】特許請求の範囲
【補正対象項目名】請求の範囲
【補正方法】変更
【補正の内容】
【書類名】請求の範囲
【請求項１】乳房カップ部と前面土台部と後面土台部とからなる乳房カップ部を有する衣類であって、乳房の動きに前記乳房カップ部を追従させる機能を備える目的で、前記前面土台部の伸縮機能が前記後面土台部の伸縮機能を上回るもので構成されることを特徴とするブラジャー等の乳房カップ部を有する衣類。
【請求項２】さらに肩紐を備え、その伸縮機能が前記後面土台部の伸縮機能を下回るもので構成される請求項１に記載のブラジャー等の乳房カップ部を有する衣類。
【請求項３】（削除）
【請求項４】（削除）
【請求項５】（削除）
【請求項６】（削除）
【請求項７】（削除）
【請求項８】（削除）
【請求項９】（削除）
【請求項１０】（削除）
【請求項１１】（削除）
【請求項１２】（削除）
【請求項１３】（削除）
【請求項１４】（削除）
【請求項１５】（削除）
【請求項１６】（削除）
９
【国際調査報告】
2006106820.tif 000007
2006106820.tif 000008
2006106820.tif 000009
2006106820.tif 000010